(57)【要約】 【課題】無駄な移動時間及び余分な人件費を解消して表示装置の状態を確認することが可能な表示装置保守システムを提供する。【解決手段】表示装置保守システムは、表示装置、保守装置及び可動式保守端末を具備する。表示装置は、ＬＥＤランプを有し、ＬＥＤランプの状態確認を要請する要請信号を受信すると、ＬＥＤランプに異常があるか否かを判定し、異常がある場合、ＬＥＤランプに異常があることを示す第１の信号を生成する複数の表示ユニットを備える。保守装置は、表示装置に対して、要請信号を送信し、要請信号に応じて第１の信号を出力した表示ユニットの表示装置における位置を表示する。可動式保守端末は、持ち運び可能であり、表示装置に対して、要請信号を送信し、要請信号に応じて第１の信号を出力した表示ユニットの表示装置における位置を、保守装置に対して左右反転して表示する。【選択図】図１
2013152336.tif 000002
【特許請求の範囲】
【請求項１】
ＬＥＤ（Light Emitting Diode）ランプを有し、前記ＬＥＤランプの状態確認を要請する要請信号を受信すると、前記ＬＥＤランプに異常があるか否かを判定し、異常がある場合、前記ＬＥＤランプに異常があることを示す第１の信号を生成する複数の表示ユニットを備える表示装置と、
前記表示装置に対して、前記要請信号を送信し、前記表示装置に含まれる表示ユニットから前記要請信号に応じて出力された第１の信号を受信した場合、前記第１の信号を出力した表示ユニットの前記表示装置における位置を表示する保守装置と、
持ち運び可能であり、前記表示装置に対して、前記要請信号を送信し、前記表示装置に含まれる表示ユニットから前記要請信号に応じて出力された第１の信号を受信した場合、前記第１の信号を出力した表示ユニットの前記表示装置における位置を、前記保守装置に対して左右反転して表示する可動式保守端末と
を具備することを特徴とする表示装置保守システム。
【請求項２】
前記可動式保守端末は、自端末が送信した要請信号に応じて出力された第１の信号を受信した場合、前記第１の信号を出力した表示ユニットの前記表示装置における位置を、前記保守装置に対して左右反転して表示することを特徴とする請求項１記載の表示装置保守システム。
【請求項３】
前記可動式保守端末は、前記保守装置が送信した要請信号に応じて出力された第１の信号を受信した場合、前記第１の信号を出力した表示ユニットの前記表示装置における位置を、前記保守装置に対して左右反転して表示することを特徴とする請求項１又は２に記載の表示装置保守システム。
【請求項４】
前記表示ユニットは、自ユニットに対する保守作業が完了した場合、前記可動式保守端末へ前記保守作業の完了通知を出力し、
前記可動式保守端末は、前記完了通知を受信すると、前記表示装置に対し、前記要請信号を送信することを特徴とする請求項１乃至３のいずれかに記載の表示装置保守システム。
【発明の詳細な説明】
【技術分野】
【０００１】
本発明の実施形態は、ＬＥＤ（Light Emitting Diode）を有する表示装置を保守する表示装置保守システムに関する。
【背景技術】
【０００２】
例えば、競馬場及び競輪場で使用される大型の表示装置は、ＬＥＤランプを有する複数の表示ユニットを備え、表示コントローラから出力される映像信号を、ＬＥＤランプを点灯させることで表示する。このとき、表示コントローラは、表示装置を視認可能な程度に離れた場所（以下、管理所と称する。）に設置される。
【０００３】
ところで、競馬場及び競輪場等の各施設では、運用前日に表示装置の動作を確認するようにしている。このとき、管理所に保守装置が設けられ、作業員は、この保守装置から、表示装置の状態を確認する。作業員は、表示ユニットの故障情報の収集要請を保守装置から表示装置へ出力し、各表示ユニットからの応答に基づいて表示装置の状態を確認する。作業員は、表示ユニットの故障情報に基づいて、表示装置内で表示ユニットの保守作業を行う。そして、保守作業の終了後に表示装置の確認を行う場合には、作業員は、管理所に戻り、表示ユニットの故障情報の収集要請を保守装置から表示装置へ再度出力することで、表示装置の状態を確認する。または、管理所に存在する他の作業員に上記の確認作業を依頼する。
【先行技術文献】
【特許文献】
【０００４】
【特許文献１】特開平６−１７８３３６号公報
【発明の概要】
【発明が解決しようとする課題】
【０００５】
以上のように、従来の保守装置では、保守作業後に表示装置の状態を確認しようとする場合、作業員は、保守装置が設置されている場所まで戻らなければならず、無駄な移動時間がかかっていた。また、保守作業後の表示装置の状態確認のために、他の作業員を管理所に待機させるようにすると、余分な人件費がかかることになっていた。
【０００６】
そこで、目的は、無駄な移動時間及び余分な人件費を解消して表示装置の状態を確認することが可能な表示装置保守システムを提供することにある。
【課題を解決するための手段】
【０００７】
実施形態によれば、表示装置保守システムは、表示装置、保守装置及び可動式保守端末を具備する。表示装置は、ＬＥＤランプを有し、前記ＬＥＤランプの状態確認を要請する要請信号を受信すると、前記ＬＥＤランプに異常があるか否かを判定し、異常がある場合、前記ＬＥＤランプに異常があることを示す第１の信号を生成する複数の表示ユニットを備える。保守装置は、前記表示装置に対して、前記要請信号を送信し、前記表示装置に含まれる表示ユニットから前記要請信号に応じて出力された第１の信号を受信した場合、前記第１の信号を出力した表示ユニットの前記表示装置における位置を表示する。可動式保守端末は、持ち運び可能であり、前記表示装置に対して、前記要請信号を送信し、前記表示装置に含まれる表示ユニットから前記要請信号に応じて出力された第１の信号を受信した場合、前記第１の信号を出力した表示ユニットの前記表示装置における位置を、前記保守装置に対して左右反転して表示する。
【図面の簡単な説明】
【０００８】
【図１】本実施形態に係る表示装置保守システムの構成を示す図である。
【図２】図１に示す表示装置の裏側を示す図である。
【発明を実施するための形態】
【０００９】
以下、実施の形態について、図面を参照して説明する。
【００１０】
図１は、本実施形態に係る表示装置保守システムの構成を示す模式図である。図１に示す表示装置保守システムは、表示装置１０、表示コントローラ２０、保守装置３０及び可動式保守端末４０を具備する。表示装置１０、表示コントローラ２０、保守装置３０及び可動式保守端末４０は、ネットワークにより接続される。
【００１１】
表示装置１０は、例えば競馬場及び競輪場等で用いられる、例えば高さ１０ｍ、幅２０ｍの大型の表示装置である。表示装置１０は、複数のＬＥＤ（Light Emitted Diode）ランプを備える表示ユニット１１−１〜１１−Ｎ（Ｎは自然数）が、高さ方向及び幅方向にそれぞれ数十個ずつ接続されて成る。
【００１２】
表示ユニット１１−１〜１１−Ｎは、複数のＬＥＤを有し、例えば、高さ２０ｃｍ、幅３０ｃｍ程度の大きさである。表示ユニット１１−１〜１１−Ｎは、表示コントローラ２０から出力される映像信号をそれぞれ受け取り、受け取った映像信号に従い、自ユニットに備えられた複数のＬＥＤランプを点灯させる。また、表示ユニット１１−１〜１１−Ｎは、自ユニットに備えられた複数のＬＥＤランプのうち少なくともいずれかが故障した際の交換単位となる。
【００１３】
図２は、本実施形態に係る表示装置１０の裏側を示す模式図である。表示ユニット１１−１〜１１−Ｍ（ただし、Ｍは１＜Ｍ＜Ｎを満たす自然数）は、図２に示すように数珠繋ぎで直列に接続している。表示ユニット１１−Ｍは、保守装置３０又は可動式保守端末４０から後述する要請信号をネットワークを介して受信すると、接続される表示ユニット１１−（Ｍ−１）へ要請信号を転送する。このように、数珠繋ぎで接続された表示ユニット１１−Ｍから表示ユニット１１−１へ順番に要請信号が転送される。これにより、表示ユニット１１−１〜１１−Ｎへ要請信号が伝達されることになる。
【００１４】
表示ユニット１１−１〜１１−Ｎは、要請信号を受信すると、自ユニットに備えられた複数のＬＥＤランプの少なくともいずれかに異常があるか否かを判定する。ここで、ＬＥＤランプの異常とは、ＬＥＤランプに印加される電圧が予め設定された規定量以下となる場合等である。以下では、表示ユニット１１−１，１１−２の動作を例として説明する。自ユニットに備えられた複数のＬＥＤランプのいずれかに異常が発生した場合、表示ユニット１１−１は、自ユニットに備えられたＬＥＤランプに異常が発生したことを示す第１の信号に、自ユニットの設置位置を示す識別データを付加し、表示ユニット１１−２へ出力する。ここで、設置位置を示す識別データとは、例えば、表示装置１０内における表示ユニット１１−１の位置座標を示すデータ等である。表示ユニット１１−１から第１の信号を受け取った場合、表示ユニット１１−２は、表示ユニット１１−１の第１の信号を、表示ユニット１１−３へ転送する。このように、数珠繋ぎで接続された表示ユニット１１−１から表示ユニット１１−Ｍへ表示ユニット１１−１の第１の信号が転送される。表示ユニット１１−Ｍは、受け取った表示ユニット１１−１の第１の信号をネットワークを介して保守装置３０又は可動式保守端末４０へ出力する。
【００１５】
自ユニットに備えられた複数のＬＥＤランプに異常がない場合、表示ユニット１１−１は、異常がないことを示す第２の信号に、自ユニットの設置位置を示す識別データを付加し、表示ユニット１１−２へ出力する。表示ユニット１１−１から第２の信号を受け取った場合、表示ユニット１１−２は、表示ユニット１１−１の第２の信号を、表示ユニット１１−３へ転送する。このように、数珠繋ぎで接続された表示ユニット１１−１から表示ユニット１１−Ｍへ表示ユニット１１−１の第２の信号が転送される。表示ユニット１１−Ｍは、受け取った表示ユニット１１−１の第２の信号をネットワークを介して保守装置３０又は可動式保守端末４０へ出力する。
【００１６】
表示コントローラ２０は、保守装置３０と共に、例えば、表示装置１０を視認可能な程度に離れた場所に設置される。以下では、表示コントローラ２０及び保守装置３０が設置される場所を管理所と称する。
【００１７】
表示コントローラ２０は、映像送出器（図示せず）から出力される映像コンテンツを、表示装置１０が表示可能な形式の映像信号に変換する。表示コントローラ２０は、変換した映像信号を表示装置１０へ出力し、映像信号を表示装置１０に表示させる。映像送出器が複数の映像コンテンツを切り替えながら表示コントローラ２０へ供給する場合、表示コントローラ２０は、供給される複数の映像コンテンツを順次映像信号へ変換し、変換した映像信号を表示装置１０へ出力する。
【００１８】
保守装置３０は、作業員から表示装置１０の状態確認を要請された場合、表示ユニット１１−１〜１１−Ｎの故障情報の収集を要請する要請信号を表示装置１０へ出力する。
【００１９】
保守装置３０は、要請信号に応じて表示ユニット１１−１〜１１−Ｎから送信される第１又は第２の信号を受信する。保守装置３０は、表示ユニット１１−１〜１１−Ｎから供給される第１又は第２の信号に基づき、表示ユニット１１−１〜１１−Ｎのうち交換等の保守作業の対象となる表示ユニットを把握する。また、保守装置３０は、保守作業の対象となる表示ユニットの、表示装置１０における位置を、第１又は第２の信号に付加された識別データを参照して把握する。保守装置３０は、保守作業の対象となる表示ユニットを、表示装置１０に対する位置と合わせて、作業員へ表示する。これにより、作業員は、表示装置１０における保守作業の対象となる表示ユニットを、把握することが可能となる。
【００２０】
可動式保守端末４０は、操作員が携帯して行動することが可能な形状、例えば、ノートＰＣ型をしている。可動式保守端末４０は、作業員から表示装置１０の状態確認を要請された場合、表示ユニット１１−１〜１１−Ｎの故障情報の収集を要請する要請信号を表示装置１０へ出力する。
【００２１】
可動式保守端末４０は、要請信号に応じて表示ユニット１１−１〜１１−Ｎから送信される第１又は第２の信号を受信する。可動式保守端末４０は、表示ユニット１１−１〜１１−Ｎからの第１又は第２の信号に基づき、表示ユニット１１−１〜１１−Ｎのうち保守作業の対象となる表示ユニットを把握する。また、可動式保守端末４０は、保守作業の対象となる表示ユニットの、表示装置１０における位置を、第１又は第２の信号に付加された識別データを参照して把握する。可動式保守端末４０は、保守作業の対象となる表示ユニットを、表示装置１０に対する位置と合わせて、作業員へ表示する。このとき、可動式保守端末４０は、収集した結果が保守装置３０で表示される結果に対して左右に反転して表示されるように、収集した結果に対して処理を行う。
【００２２】
以上のように、上記実施形態では、表示装置保守システムは、可動式保守端末４０を備え、作業員が表示装置１０の状態確認を可動式保守端末４０により行なえるようにしている。これにより、作業員は、管理所から離れた場所から表示装置１０の状態を確認することが可能となる。つまり、作業員は、例えば、表示ユニットの交換後、表示装置１０の内部から表示装置１０の状態をすることが可能となり、表示装置１０から管理所まで移動する必要がなくなる。また、表示ユニット交換後の表示装置の状態を確認するために、余分な人員を管理所に待機させておく必要がなくなる。
【００２３】
また、上記実施形態では、可動式保守端末４０は、収集した結果が保守装置３０で表示される結果に対して左右に反転して表示されるように、収集した結果に対して処理を行うようにしている。管理所から見る表示ユニットの配置と、表示装置１０の裏から見る表示ユニットの配置とは、左右に反転したものとなっている。本実施形態では、収集した結果に対して左右反転処理を加えるようにしているため、表示装置１０の内部から表示装置１０の状態を確認する場合であっても、作業員に表示ユニットの正確な配置を把握させることが可能となる。
【００２４】
したがって、本実施形態に係る表示装置保守システムによれば、無駄な移動時間及び余分な人件費を解消して表示装置の状態を確認させることができる。
【００２５】
なお、上記実施形態では、保守装置３０及び可動式保守端末４０がそれぞれ要請信号を出力し、それぞれの要請信号に応じた第１又は第２の信号を受信する場合を例に説明した。しかしながら、これに限定される訳ではない。例えば、保守装置３０が出力した要請信号に応じた第１又は第２の信号を、保守装置３０及び可動式保守端末４０が受信するようにしても構わない。このとき、可動式保守端末４０は、収集した結果を、保守装置３０とは左右に反転させた状態で表示する。同様に、可動式保守端末４０が出力した要請信号に応じた第１又は第２の信号を、保守装置３０及び可動式保守端末４０が受信するようにしても構わない。これにより、保守装置３０と可動式保守端末４０とで収集結果が共有されることになり、表示装置１０の状態を効率的に確認することが可能となる。
【００２６】
また、上記実施形態では、表示ユニット１１−１〜１１−Ｎは、要請信号を受信した場合に、自ユニットに備えられた複数のＬＥＤランプの少なくともいずれかに異常があるか否かを判定する場合を例に説明したが、これに限定される訳ではない。例えば、図２に示す表示ユニット１１−２〜１１−Ｍは、要請信号を受信し、かつ、一つ前に位置する表示ユニットからの第１又は第２の信号を受信した場合に、自ユニットに備えられた複数のＬＥＤランプの少なくともいずれかに異常があるか否かを判定するようにしても構わない。このとき、表示ユニット１１−２〜１１−Ｍは、自ユニットの第１又は第２の信号を一つ後に位置する表示ユニットへ出力すると共に、一つ前に位置する表示ユニットから出力される第１又は第２の信号を１つ後に位置する表示ユニットへ転送する。これにより、表示ユニット１１−ＭからＭ個の第１又は第２の信号がネットワークを介して一括して送信されることとなり、効率的に第１又は第２の信号を保守装置３０又は可動式保守端末４０へ送信することが可能となる。
【００２７】
また、上記実施形態では、作業員からの要請に基づいて要請信号を出力する場合を例に説明したが、これに限定される訳ではない。例えば、可動式保守端末４０は、所定の期間が経過する度に、表示装置１０へ要請信号を送信するようにしても構わない。また、表示ユニットは、自ユニットに対する保守が完了すると、完了通知を送信し、可動式保守端末４０は、表示ユニットからの完了通知を受信すると、表示装置１０へ要請信号を送信するようにしても構わない。これにより、作業員の指示がなくても、表示装置１０の状態を確認することが可能となり、作業員の負担を軽減することが可能となる。
【００２８】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２９】
１０…表示装置、１１−１〜１１−Ｎ…表示ユニット、２０…表示コントローラ、３０…保守装置、４０…可動式保守端末
【図１】
2013152336.tif 000003
【図２】
2013152336.tif 000004